(57)【要約】【課題】柱の側面で支えるサポートやＰＣ梁などの設置作業、あるいはスラブ面の有効利用や作業などの妨げになることのない、作業現場用の梯子や仮設作業台などの支柱として好適な使い勝手のよい簡易型の仮設用支柱を提供する。【解決手段】仮設用支柱１を構成する軸体２の上部に柱３の角部４近傍の露出鉄筋５に掛止可能な掛止部６を備えるとともに、軸体２の適宜位置に柱３の角部４に係合可能な角部係合部７，８を２個所以上備え、それらの角部係合部７，８の柱３の角部４に対する係合により軸体２の横方向の振れを防止するとともに、掛止部６を柱３の角部４近傍の露出鉄筋５に対して掛止することにより着脱可能に吊設する。【選択図】図１
2005180000.tif 000002
【特許請求の範囲】
【請求項１】
軸体の上部に柱の角部近傍の露出鉄筋に掛止可能な掛止部を備えるとともに、前記軸体の適宜位置に前記柱の角部に係合可能な角部係合部を２個所以上備えてなり、それらの角部係合部の柱の角部に対する係合により軸体の横方向の振れを防止するとともに、前記掛止部を前記柱の角部近傍の露出鉄筋に対して掛止することにより着脱可能に吊設し得るように構成したことを特徴とする仮設用支柱。
【請求項２】
前記軸体に適宜数の足掛け部材を付設し、作業現場用の梯子として使用可能に構成した請求項１に記載の仮設用支柱。
【請求項３】
前記軸体に足場部材を付設し、仮設作業台として使用可能に構成した請求項１又は２に記載の仮設用支柱。
【発明の詳細な説明】
【技術分野】
【０００１】
本発明は、建設現場で使用される作業現場用の梯子や仮設作業台などの支柱として好適な簡易型の仮設用支柱に関する。
【背景技術】
【０００２】
建設中の柱の上部にプレキャストコンクリート梁（ＰＣ梁という）を設置する場合などには、柱の上部に露出した露出鉄筋の外側の狭い空間に作業者が上がって重機の操縦者に指示を出しながら作業を行うといった作業形態が従来から広く行われている。しかしながら、この作業形態は作業性がよくないばかりでなく、危険性も少なくないといった問題があった。そこで、柱の側面部に立て掛けて上部を露出鉄筋に掛止することにより転倒を防止した作業台付きの梯子も開示されている（特許文献１参照）。しかしながら、この作業台付梯子は、柱の側面部に立て掛けて使用するため、柱の側面で支えるサポートやＰＣ梁を設置する側面と競合する場合には支障が生じるという問題があった。また、スラブ面上に設置するため、スラブ面の有効利用や作業の妨げにもなるといった問題もあった。他方、建設中の柱の露出鉄筋を利用して吊設し得るように構成した作業用足場も従来から知られている（特許文献２参照）。しかしながら、この従来の作業用足場では、柱の側面の平面部分に足場を吊設する支持形態が採用されていたため、横方向の振れを防止するには、横方向の幅をある程度大きくして複数本の露出鉄筋により支持するといった、大がかりな構造を採用する必要があった。このため、重量も大きくなり、運搬や吊設作業にも大きな作業負担がかかるといった問題があった。また、柱の側面部に設置されることから、柱の側面で支えるサポートやＰＣ梁を設置する側面と競合する場合には支障が生じるという同様の問題があった。さらに、梯子としての機能を付加することは技術的に困難であった。
【特許文献１】特開２００１−１８２４６５号公報
【特許文献２】特開平７−１８０３４５号公報
【発明の開示】
【発明が解決しようとする課題】
【０００３】
本発明は、以上のような従来の技術的状況に鑑み、柱の側面で支えるサポートやＰＣ梁などの設置作業、あるいはスラブ面の有効利用や作業などの妨げになることのない、作業現場用の梯子や仮設作業台などの支柱として好適な使い勝手のよい簡易型の仮設用支柱を提供することを目的とするものである。
【課題を解決するための手段】
【０００４】
本発明では、課題を解決するため、仮設用支柱を構成する軸体の上部に柱の角部近傍の露出鉄筋に掛止可能な掛止部を備えるとともに、前記軸体の適宜位置に前記柱の角部に係合可能な角部係合部を２個所以上備え、それらの角部係合部の柱の角部に対する係合により軸体の横方向の振れを防止するとともに、前記掛止部を前記柱の角部近傍の露出鉄筋に対して掛止することにより着脱可能に吊設し得るように構成するという技術手段を採用した。なお、前記軸体に適宜数の足掛け部材を付設し、作業現場用の梯子として使用可能に構成することができる。また、前記軸体に足場部材を付設し、仮設作業台として使用可能に構成することができる。
【発明の効果】
【０００５】
本発明によれば、次の効果を得ることができる。
（１）建設中の柱の角部を活用して、仮設用支柱を構成する軸体に設けた角部係合部を係合することにより軸体の横方向の振れを防止するように構成したので、簡単な構成により横方向の振れを的確に防ぐことができる。
（２）仮設用支柱の横方向の振れ防止が、軸体に角部係合部を設けるという簡単な構成により可能なことから、軽量で運搬や取扱いがきわめて容易な使い勝手のよい簡易型の仮設用支柱を提供することができる。
（３）仮設用支柱が柱の角部に沿って吊設されることから、柱の側面で支えるサポートやＰＣ梁などの設置作業の妨げとならない。
（４）仮設用支柱を構成する軸体の上部に設けた掛止部を介して柱の角部近傍の露出鉄筋に対して掛止する支持構造を採用したので、前記角部係合部による横振れ防止機能と相俟って、仮設支柱を柱の角部に沿って簡便かつ着脱可能に吊設することができる。
（５）仮設用支柱を露出鉄筋に掛止して吊設するように構成したので、スラブ面の有効利用や作業などの妨げになることもない。
【発明を実施するための最良の形態】
【０００６】
本発明に係る仮設用支柱は、作業現場用の梯子や仮設作業台などの支柱として好適である。仮設用支柱を構成する軸体としては、丸形パイプや角形パイプが好適であるが、他の断面形状のものや中実状のものでもよい。また、軸体の本数に関しては、１本のものだけでなく、複数本の軸体を使用する形態も可能である。さらに、軸体を例えば入れ子式に連結して伸縮可能に構成することも可能である。軸体の上部に備える掛止部としてはフック状のものが好適であるが、露出鉄筋に対して掛止し得るものであれば、どのような形態のものでもよい。また、単に露出鉄筋に対して掛止するだけでなく、鉄筋からの掛止部の外れをより確実に防止するための外れ防止手段を付加したものでもよい。その軸体の上部に備える掛止部の設置位置は、該軸体に設置される角部係合部より上方であればよい。掛止部を軸体の上端部に設ける形態だけでなく、掛止部の設置位置より更に上方に軸体を延設して作業時につかまる手摺り等として使用することも可能である。掛止部を介して掛止する相手側の露出鉄筋に関しては、柱の角部に最も近い１本の露出鉄筋に対して掛止する形態が好適であるが、柱近傍の複数本の露出鉄筋に対して同時に掛止する形態や、柱の角部に最も近い露出鉄筋ではなく、その両側に位置する露出鉄筋に対して掛止する形態なども可能である。さらに、前記角部係合部の設置数に関しては、上下の２個所だけでなく、必要に応じて中間部に適数個の角部係合部を設けてもよい。因みに、角部係合部と柱の角部との係合による横方向の振れ防止に加えて、軸体等の適宜位置を柱に固定するための補助的な固定手段を設けることも可能である。
【実施例１】
【０００７】
以下、図面に基づいて実施例に関して説明する。図１は本発明に係る仮設用支柱を作業現場用の梯子に適用した第１実施例の使用状態を例示した使用状態説明図であり、図２はその部分拡大平面図である。図中、１は仮設用支柱であり、本実施例では角形パイプからなる軸体２を使用し、その上部に柱３の適宜の角部４の近傍に露出した露出鉄筋５に掛止可能な掛止部６を備えるとともに、軸体２の適宜位置、本実施例では上下の２個所に柱３の角部４に係合可能な角部係合部７，８を備えている。また図２に示したように、軸体２の両側には所定間隔を置いて足掛け部材９，１０を付設し、これにより作業現場用の梯子１１を形成している。
【０００８】
そして、使用に際しては、本実施例に係る梯子１１を持上げて下から前記掛止部６を露出鉄筋５に掛止し、角部係合部７，８を柱３の対象の角部４に係合させた上、足掛け部材９，１０上に乗って掛止部６と軸体２との間隔の調整や、掛止部６に外れ防止手段のある場合にはそのための作業を行うことにより、簡便に吊設することができる。なお、この場合、掛止部６と軸体２との間隔の調整作業においては、作業者が足掛け部材９，１０上に乗り、体重が負荷された状態で行われるので、締めすぎにより角部係合部７，８が柱３の角部４から浮いたりすることは防止される。他の設置位置へ移動する際には、場合に応じて外れ防止手段を解除した後、下方から掛止部６を露出鉄筋５から外したり、あるいは他の角部４に設置した別の梯子に上がって掛止部６を露出鉄筋５から外すことにより、簡便に移動することができる。
【０００９】
次に前記仮設用支柱１の各部分に関して詳細に説明する。図３は仮設用支柱１の上方部分を示した側面図、図４はその平面図、図５は前記上方部分の正面図である。図示のように、軸体２の上部側面には、円筒状支持部材１２を溶接等により固着し、その円筒状支持部材１２の内方に連結ボルト１３を挿通して回転可能な状態に支持するように構成している。図６は前記掛止部６を拡大して示した側面図、図７はその正面図であり、図示のように、本実施例に係る掛止部６は、板材を断面Ｕ字状に屈曲したものから構成される。この掛止部６には、露出鉄筋５に係合し得るフック部１４が形成されているとともに、断面Ｕ字状の内部にはナット等からなる雌ねじ部材１５が溶接等により固着され、この雌ねじ部材１５に前記連結ボルト１３が螺入されている。しかして、雌ねじ部材１５に螺入された連結ボルト１３を回転して掛止部６と軸体２との間隔を調整することにより、露出鉄筋５に対するフック部１４の係合状態をより的確なものとすることができる。なお、図中、１６は連結ボルト１３に設けられた抜け止用の係止板である。
【００１０】
さらに、軸体２の円筒状支持部材１２の下方には、上部受け部材１７が溶接等により固着されている。図８はその上部受け部材１７を拡大して示した側面図、図９は正面図、図１０は平面図、図１１は底面図である。図示のように、上部受け部材１７は、前記柱３の角部４に係合可能な上方の角部係合部７を構成するアングル材１８と、その上端面に溶接等により固着され、柱３の角部４の上端面に当接して軸体２にかかる荷重を支持する上面当接板１９と、アングル材１８の外面に溶接等により固着され、そのアングル材１８と軸体２とを連結するチャンネル状連結部材２０とから構成される。すなわち、上部受け部材１７はチャンネル状連結部材２０を介して円筒状支持部材１２より下方の軸体２の前面部に溶接等により固着され、アングル材１８が柱３の角部４に係合して横方向の位置決めが行なわれることにより横振れが防止されるとともに、上面当接板１９が柱３の角部４の上端面に当接して作業者の体重等の軸体２に作用する荷重が支持されることになる。
【００１１】
また、図１に示したように、軸体２の下方の適宜位置、本実施例ではその下端部に柱３の角部４に係合可能な下方の角部係合部８等からなる下部受け部材２１を溶接等により固着している。図１２はその下部受け部材２１を拡大して示した側面図、図１３は正面図、図１４は平面図である。図示のように、下部受け部材２１は、前記下方の角部係合部８を構成するアングル材２２と、そのアングル材２２の外面に溶接等により固着され、アングル材２２と軸体２とを連結するチャンネル状連結部材２３とから構成される。なお、この下部受け部材２１のチャンネル状連結部材２３は、前記上部受け部材１７のチャンネル状連結部材２０より長い寸法に形成され、図１に示したように使用状態において梯子１１が適度に傾斜するように構成されている。因みに、下部受け部材２１用のチャンネル状連結部材２０をロッド状の連結部材に変更して軸体２を貫通した状態に固定し、前記連結部材の外方側を軸体２の反対側へ突出させながら前記固定位置を変更し得るように構成すれば、必要に応じて下部受け部材２１と軸体２との間隔を縮小して梯子１１の傾斜角を変えたり垂直状態に変更したりすることも可能である。さらに、図示のようにアングル材１８，２２の内側の柱３の角部４と当接する部分に硬質ゴム等の適宜素材からなる変形可能な当接部材を設けることにより、係合時における柱３側の損傷を防止したり、柱３の角部４との当接部分の摩擦力を増大して係合による横振れ防止作用を向上することができる。
【００１２】
前述のように、軸体２の両側には所定間隔を置いて足掛け部材９，１０が付設される。図１５はそれらの足掛け部材９，１０を示した拡大部品図である。本実施例では、図５に示したように足掛け部材９，１０の各付設位置に合わせて雌ねじ部材２４を軸体２を貫通した状態に溶接等により一体的に設け、それらの雌ねじ部材２４の両側から足掛け部材９，１０の雄ねじ部２５を螺入して締付け固定することにより梯子１１を形成するように構成している。なお、図１６は足掛け部材９，１０を付設した状態を示した正面図である。因みに、本実施例では、足掛け部材９，１０をねじ込み式に構成した場合を示したが、初めから軸体２に対して溶接等により固着する形態も可能であることはいうまでもない。
【実施例２】
【００１３】
次に、仮設用支柱を構成する軸体に足場部材を付設して仮設作業台として使用可能に構成した第２実施例に関して説明する。図１７はその第２実施例の使用状態を例示した使用状態説明図であり、また図１８は足場部材を折畳んだ状態を例示した状態説明図である。図中、２６は本実施例に係る仮設用支柱で、前記第１実施例の仮設用支柱１と基本的に異なるところはない。本実施例の場合には、仮設用支柱２６を柱３に平行に沿わせるため、上方の角部係合部２７と仮設用支柱２６との間隔と、下方の角部係合部２８と仮設用支柱２６との間隔とを同じ間隔に設定した点と、足場部材２９を仮設用支柱２６に対して付設するための取付手段を付加した点で異なるが、その他の構成は共通しているので、同様の構成部分には同じ符号を付して前記第１実施例における説明を援用する。しかして、本実施例の場合には、運搬時や設置作業時においては図１８に示したように足場部材２９を折畳んだ状態で取扱い、設置後の使用状態においては図１７に示したように足場部材２９を拡開して仮設作業台として使用することになる。なお、本実施例では、足場部材２９を仮設用支柱２６を構成する軸体３０に対して直接的に付設した場合を示したが、例えば仮設用支柱２６に固着された足掛け部材に取付けることにより軸体３０に対して間接的に付設することも可能である。
【００１４】
図１９は本第２実施例の上方部分を拡大して示した部分拡大図である。図示のように、本実施例の場合には、足場部材２９を仮設用支柱２６に対して付設するための取付手段として、仮設用支柱２６に適宜の間隔を置いて２個一組の取付孔３１，３２を複数組形成している。すなわち、２個一組の取付孔３１，３２を使用して足場部材２９を仮設用支柱２６に付設する取付手段を採用し、それらの２個一組の取付孔３１，３２を選択することにより足場部材２９の取付高さを調整し得るように構成している。図示のように、仮設用支柱２６を構成する軸体３０には、仮設用支柱２６の断面形状と相似形の断面形状からなる２個の筒状取付部材３３，３４が摺動可能に外嵌してあり、止めピン等の適宜の係止具３５，３６を取付孔３１，３２に挿通することにより位置決めが行われるように構成している。なお、上方の筒状取付部材３３に関しては、摺動時に上方の角部係合部２７の連結部材と干渉しないようにスリット部を設けるか、その筒状取付部材３３の最上取付位置を上方の角部係合部２７の連結部材より下方に設定する。そして、下方の筒状取付部材３４には水平方向に張出した状態に取付部３７が設けてあり、この取付部３７に対して前記足場部材２９が適宜の支軸３８を介して回動可能に取付けられている。また、上方の筒状取付部材３３には、足場部材２９の外側部との間を結ぶことにより足場部材２９に作用する荷重を支えるためのワイヤ３９が装着されている。ワイヤ３９は足場部材２９を折畳んだ状態で軸体３０の上端部に設けたフック４０に掛止可能に構成してあり、このワイヤ３９のフック４０への掛止によって足場部材２９が折畳んだ状態で保持されるように構成されている。
【００１５】
しかして、本実施例の使用に際しては、ワイヤ３９をフック４０へ掛止して足場部材２９を折畳んだ状態で持上げて、前記第１実施例と同様に露出鉄筋５に対して掛止部６を掛止するとともに、柱３の角部４に角部係合部２７，２８を係合させた状態に吊設し、仮設用支柱３０の両側に設置した足掛け部材９，１０に乗って掛止部６と軸体３０との間隔調整等の作業を行う。この場合、足場部材２９は折畳んだ状態にあることから、間隔調整等の作業を容易に行うことができる。しかる後、足場部材２９の上方へ移動し、あるいは足場部材２９の下方からワイヤ３９をフック４０から外して足場部材２９を支軸３８を中心に回動すれば、図１７に示したように足場部材２９が水平状態に拡開されるとともに、その拡開状態がワイヤ３９によって支持され、仮設作業台としての使用が可能となる。図２０はその足場部材２９の拡開状態を示した平面図である。因みに、前記係止具３５，３６を外し、筒状取付部材３３，３４を摺動して別の取付孔３１，３２に挿通すれば、図２１に示したように足場部材２９の設置高さを容易に変更することができる。
【００１６】
なお、露出鉄筋５に対する掛止部に関しては、図２２に示した掛止部４１のように２つのフック部４２，４３を備えた形態のものや、図２３に示したように掛止部の下部に下部ガイド４４を付設した形態のものの採用も可能である。また、以上の実施例の説明においては、足場部材が折畳み可能かつ高さ位置調整可能に構成した場合に関して説明したが、折畳みのできない形態や、足場部材を仮設用支柱の軸体に固定する形態の採用も可能である。さらに、図２４に示したように柱３の２つの角部に吊設した足場部材４５，４６間に中間足場部材４７を架設する使用形態も可能である。因みに、これらの形態において足場部材上に上がる場合には、他の角部に吊設した梯子１１等を用いて乗移る方法などが有効である。
【図面の簡単な説明】
【００１７】
【図１】本発明に係る第１実施例の使用状態を例示した使用状態説明図である。
【図２】同実施例を示した部分拡大平面図である。
【図３】同実施例の仮設用支柱の上方部分を示した側面図である。
【図４】同仮設用支柱を示した平面図である。
【図５】同仮設用支柱の上方部分を示した正面図である。
【図６】同実施例の掛止部を示した側面図である。
【図７】同掛止部を示した正面図である。
【図８】同実施例の上部受け部材を示した側面図である。
【図９】同上部受け部材を示した正面図である。
【図１０】同上部受け部材を示した平面図である。
【図１１】同上部受け部材を示した底面図である。
【図１２】同実施例の下部受け部材を示した側面図である。
【図１３】同下部受け部材を示した正面図である。
【図１４】同下部受け部材を示した平面図である。
【図１５】同実施例の足掛け部材を示した拡大部品図である。
【図１６】同足掛け部材の付設状態を示した正面図である
【図１７】本発明に係る第２実施例の使用状態を例示した使用状態説明図である。
【図１８】同実施例の足場部材を折畳んだ状態を例示した状態説明図である。
【図１９】同実施例の上方部分を拡大して示した部分拡大図である。
【図２０】同実施例の足場部材の拡開状態を示した平面図である。
【図２１】同実施例において足場部材の設置高さを変更した場合を示した状態説明図である。
【図２２】掛止部に関する他の実施例を示した平面図である。
【図２３】掛止部に関する他の実施例を示した側面図である。
【図２４】他の使用形態を例示した使用状態図である。
【符号の説明】
【００１８】
１…仮設用支柱、２…軸体、３…柱、４…角部、５…露出鉄筋、６…掛止部、７，８…角部係合部、９，１０…足掛け部材、１１…梯子、１２…円筒状支持部材、１３…連結ボルト、１４…フック部、１５…雌ねじ部材、１６…抜け止用の係止板、１７…上部受け部材、１８…アングル材、１９…上面当接板、２０…チャンネル状連結部材、２１…下部受け部材、２２…アングル材、２３…チャンネル状連結部材、２４…雌ねじ部材、２５…雄ねじ部、２６…仮設用支柱、２７，２８…角部係合部、２９…足場部材、３０…軸体、３１，３２…取付孔、３３，３４…筒状取付部材、３５，３６…係止具、３７…取付部、３８…支軸、３９…ワイヤ、４０…フック、４１…掛止部、４２，４３…フック部、４４…下部ガイド、４５，４６…足場部材、４７…中間足場部材
【図１】
2005180000.tif 000003
【図２】
2005180000.tif 000004
【図３】
2005180000.tif 000005
【図４】
2005180000.tif 000006
【図５】
2005180000.tif 000007
【図６】
2005180000.tif 000008
【図７】
2005180000.tif 000009
【図８】
2005180000.tif 000010
【図９】
2005180000.tif 000011
【図１０】
2005180000.tif 000012
【図１１】
2005180000.tif 000013
【図１２】
2005180000.tif 000014
【図１３】
2005180000.tif 000015
【図１４】
2005180000.tif 000016
【図１５】
2005180000.tif 000017
【図１６】
2005180000.tif 000018
【図１７】
2005180000.tif 000019
【図１８】
2005180000.tif 000020
【図１９】
2005180000.tif 000021
【図２０】
2005180000.tif 000022
【図２１】
2005180000.tif 000023
【図２２】
2005180000.tif 000024
【図２３】
2005180000.tif 000025
【図２４】
2005180000.tif 000026